(57)【要約】      （修正有）【課題】造形物をはめ込んで固定できる美麗な装飾性を有する畳を提供する。【解決手段】畳Ａは、畳表部Ｂと畳の芯材部Ｃ、Ｄをくり抜いた凹部Ｇの収納部Ｎを１箇所もしくは２箇所以上形成する。この凹部Ｇの収納部Ｎに、内部に絵や書や造形物等の表示部を内部もしくは底部に有する装飾部Ｏを設け、装飾部Ｏは畳表部Ｂもしくは畳縁Ｆの高さと同一もしくはほぼ同一となるように構成する。【選択図】図１
0003234546.tif 000002
【実用新案登録請求の範囲】
【請求項１】
畳表面の内部もしくは畳の端部に掛かる位置に、少なくとも１つの凹部状、もしくは貫通穴状の収納部を形成し、該収納部の内部に樹脂やガラス等の透明性のある材料で装飾部を一体化させて設け、該装飾部は内部、もしくは底部に絵や書や造形物等の表示部を有しており、前記装飾部の表面高さが前記畳表部もしくは畳縁部の表面高さと同一もしくはほぼ同一となるように形成したことを特徴とする畳。
【請求項２】
畳表面の内部もしくは畳の端部に掛かる位置に、少なくとも１つの凹部状、もしくは貫通穴状の収納部を形成し、該収納部の内部に、枠部を一体化させて設け、該枠部内に樹脂やガラス等の透明性のある材料からなる装飾部を設け、該装飾部の前記透明性のある材料の内部、もしくは底部に絵や書や造形物等の表示部を有しており、前記装飾部の表面高さが前記畳表部もしくは畳縁部の表面高さと同一もしくはほぼ同一となるように形成したことを特徴とする畳。
【請求項３】
前記表示部が紙等の表面に絵や文字等を表示し、畳表面から見える状態で前記装飾部の内部もしくは底部に位置することを特徴とする請求項１、もしくは２記載の畳。
【請求項４】
前記表示部が立体の造形物であり、畳表面から見える状態で前記装飾部の内部、もしくは底部に位置することを特徴とする請求項１、もしくは２記載の畳。
【請求項５】
前記表示部が、インキ等からなる絵や文字等であり、畳表面から見える状態で前記装飾部の内部、もしくは底部に位置することを特徴とする請求項１、もしくは２記載の畳。
【請求項６】
前記装飾部の周縁部の形状が四角形等の直線状、もしくは任意の曲線状であることを特徴とする請求項１乃至５の何れか１項に記載の畳。
【請求項７】
前記畳が、壁掛けや置物として使用できる請求項１乃至６の何か１項に記載の畳。
【請求項８】
前記装飾部が、前記畳の収納部に前記表示部を入れた状態で樹脂やガラス等の透明性のある材料を流し込み固化させ、前記収納部、もしくは前記枠部と一体化したことを特徴とする請求項１乃至７の何れか１項に記載の畳。
【請求項９】
前記装飾部が、内部もしくは底部に前記表示部を有する樹脂やガラス等の透明性のある材料で形成されたものであり、前記畳の収納部、もしくは前記枠部にはめ込み一体化したことを特徴とする請求項１乃至７の何れか１項に記載の畳。
【考案の詳細な説明】
【技術分野】
【０００１】本考案は畳表面に樹脂やガラス等の透明性のある材料で装飾部を設け、該装飾部に絵や書等の装飾性を持たせた畳であり、畳として使用できる他に壁掛けや置物等のインテリアとしても使用できる畳である。
【背景技術】
【０００２】畳表面に模様を施した畳や、畳表面に凹部を形成し模様を施した畳を装着するという試みがなされており例えば下記特許文献１、２などが知られている。特許文献１は畳表面に凹部を形成しこの凹部に表面に模様が形成された畳部分を装着する技術が開示されている。特許文献２は畳表面に模様を施した摩耗性印刷物を設置するという技術が開示されている。
【先行技術文献】
【０００３】
【特許文献１】特開２００８−２０２２２９
【特許文献２】実登３０６９４３３
【考案の概要】
【考案が解決しようとする課題】
【０００４】特許文献１は、模様が形成された畳部分を着脱自在にするとあるが、この方法では畳と一体化せずにズレが生じたり持ち運びしづらくなる。着脱自在で畳と一体化していないことから装飾品とした壁掛けなどの使用ができずインテリアとしての幅が少なくなる。また、装飾部分が畳であり他の畳部分と同じであり装飾部分が目立たずバリエーションが少なくなる。
特許文献２は、模様を施した摩耗性印刷物を設置するには畳業者でないと模様を設けることが難しく、使用者が自身の絵や書等、もしくは気に入った絵や書等を自由に選択して設けることが難しかった。
【課題を解決するための手段】
【０００５】本考案第１の考案は、畳表面の内部もしくは畳の端部に掛かる位置に、少なくとも１つの凹部状、もしくは貫通穴状の収納部を形成し、該収納部の内部に樹脂やガラス等の透明性のある材料で装飾部を一体化させて設け、該装飾部は内部、もしくは底部に絵や書や造形物等の表示部を有しており、前記装飾部の表面高さが前記畳表部もしくは畳縁部の表面高さと同一もしくはほぼ同一となるように形成したことを特徴とするものである。【０００６】本考案第２の考案は、畳表面の内部もしくは畳の端部に掛かる位置に、少なくとも１つの凹部状、もしくは貫通穴状の収納部を形成し、該収納部の内部に、枠部を一体化させて設け、該枠部内に樹脂やガラス等の透明性のある材料からなる装飾部を設け、該装飾部の前記透明性のある材料の内部、もしくは底部に絵や書や造形物等の表示部を有しており、前記装飾部の表面高さが前記畳表部もしくは畳縁部の表面高さと同一もしくはほぼ同一となるように形成したことを特徴とするものである。【０００７】本考案第３の考案は、前記表示部が紙等の表面に絵や文字等を表示し、畳表面から見える状態で前記装飾部の内部もしくは底部に位置することを特徴とするものである。【０００８】本考案第４の考案は、前記表示部が立体の造形物であり、畳表面から見える状態で前記装飾部の内部、もしくは底部に位置することを特徴とするものである。【０００９】本考案第５の考案は、前記表示部が、インキ等からなる絵や文字等であり、畳表面から見える状態で前記装飾部の内部、もしくは底部に位置することを特徴とするものである。【００１０】本考案第６の考案は、前記収納部の周縁部の形状が四角形等の直線状、もしくは任意の曲線状であることを特徴とするものである。【００１１】本考案第７の考案は、前記畳が、壁掛けや置物として使用できることを特徴とするものである。【００１２】本考案第８の考案は、前記装飾部が、前記畳の収納部に前記表示部を入れた状態で樹脂やガラス等の透明性のある材料を流し込み固化させ、前記収納部、もしくは前記枠部に一体化したことを特徴とするものである。【００１３】本考案第９の考案は、前記装飾部が、内部もしくは底部に前記表示部を有する樹脂やガラス等の透明性のある材料で形成されたものであり、前記畳の収納部、もしくは前記枠部にはめ込み一体化したことを特徴とするものである。
【考案の効果】
【００１４】本考案第１の考案は、請求項１に記載した技法を用いることによりあらゆる物を畳と一体化させ美麗な畳を作成することができデザインの幅がより広がる。【００１５】本考案第２の考案は、請求項２にあるように枠部を設けることにより樹脂の漏れなどを防ぐことができる。また、枠部内に予め装飾部を作成することができるので作業効率が上がる。【００１６】本考案第３の考案は、請求項３にあるように絵画や書道家の方が書した字を装飾部として設け畳と一体化させることで畳と見た目、質感が異なるので装飾性が高まる。また額縁のような使用の仕方も可能である。【００１７】本考案第４の考案は、請求項４にあるように立体の造形物を使用することでより現実的な表現ができるようになる。また使用者が気にいったあらゆる造形物を自由に使って表示することが容易にできる。【００１８】本考案第５の考案は、請求項５にあるように装飾部の表面にインキ等で直接絵や文字を書くことができるのであらゆる表現方法ができるようになる。【００１９】本考案第６の考案は、請求項６にあるように収納部の周縁部が様々な形で表現できるようになりデザインの幅が広がる。【００２０】本考案第７の考案は、請求項７にあるように畳を壁掛けや置物として使用することができるのでインテリアとして部屋の装飾に使うことが可能である。【００２１】本考案第８の考案は、請求項８にあるように樹脂やガラス等の透明性の材料を使用することで表示部が綺麗に現れ装飾性がさらに高まる。【００２２】本考案第９の考案は、請求項９にあるように装飾部を収納部にはめ込み畳と一体化させることで、収納部にはめ込む前に装飾部を作成することができるので、より創造の幅が広がる。
【図面の簡単な説明】
【００２３】
【図１】本考案の畳の断面構造を示す図
【図２】本考案の畳の断面構造を示す図
【図３】絵画や文字をはめ込んだ本考案の畳
【図４】部屋に本考案の畳を敷き込んだ図
【図５】壁掛け仕様の図
【図６】畳の多様な形態の図
【考案を実施するための形態】
【００２４】畳表部と畳芯材部をくり抜いた凹部に絵画をはめ込み樹脂で固めることにより、アートな畳を部屋に敷き込むことができる。また書道家の方が書した習字をはめ込み壁掛けにすることで和室の床の間や玄関などに装飾することができる。
【実施例】
【００２５】以下図面にしたがって実地例を説明する。
図１は本考案の断面図である。畳表Ｂと畳ボード上Ｃ、畳フォームＤをくり抜き凹部Ｇの収納部Ｎを形成する。畳表Ｂと畳縁Ｆで凹部のＧ収納部の側面部全体もしくは一部まで覆う。凹部Ｇの収納部Ｎに、樹脂Ｉを収納部Ｎの高さの１／４程度入れて固める。
その後、造形物Ｈや絵画Ｌ、書Ｍなどあらゆる表示部Ｐをはめ込み、樹脂Ｉを流し込み固化させて、前記収納部の側面と一体化させて装飾部Ｏを設ける。図１では樹脂Ｉを使用したが、他に、ガラスＪ、アクリルＫを使用することもできる。表示部Ｐ、樹脂ＩもしくはガラスＪ、アクリルＫ等の順番はどのようなものでも良く、表示部Ｐは装飾部Ｏの下部に設けることもできる。また、樹脂Ｉを収納部Ｎに流し込み固化させることで装飾部Ｏを設けると、収納部の側面は畳縁Ｆがあり、その表面はわずかな凹凸形状となっている。この流し込む樹脂Ｉは、この凹凸形状に沿うように流し込まれ固化するので、凹凸形状とかみ合い、ずれたりすることなく一体化することができる。この時、装飾部Ｏと畳縁Ｆの高さはほぼ同一とする。また、本考案では畳縁Ｆを設けなくても良い。その場合は、装飾部Ｏは畳表Ｂの高さとほぼ同一とし、収納部Ｎ内の畳表Ｂとで一体化する。【００２６】本考案の第２の実施例を図２により説明すると凹部Ｇは畳表Ｂと畳ボード上Ｃ、畳フォームＤ、畳ボード下Ｅを全てくり抜く場合の図面である。この時は貫通穴状の収納部Ｎとなる。この場合は球体のような造形物Ｈを表示部としている。造形物Ｈを内部に有し、前記収納部Ｎの形状と寸法に一致する樹脂ＩもしくはガラスＪ、アクリルＫ製の装飾部Ｏを設けておく。装飾部Ｏを前記収納部Ｎに嵌め込み、収納部Ｎの側面と一体化させる。この時、装飾部Ｏと畳表部の高さはほぼ同一とする。この両部材の一体化は、装飾部Ｏの横寸法を収納部Ｎの横寸法と同じか少し大きくしておき、嵌入させることで、摩擦で一体化させることができる。他に、装飾部Ｏと収納部Ｎとの間に隙間がある場合は、その隙間に接着剤を使い一体化させる方法や、隙間に樹脂ＩもしくはガラスＪ、アクリルＫ等を流し込んで固化させて一体化させることもできる。【００２７】図３は絵画や文字をはめ込んだ図である。図３の左を図３（１）、図３の右を図３（２）として「図３（１）は表示部Ｐを絵画として収納部Ｎの中に収納する。表示部Ｐは紙に絵を描いたものであり、収納部Ｎの形状と寸法にもぼ等しい。そして、表示部Ｐを収納した収納部Ｎに透明な樹脂を畳表と同じ高さになるように流し込み固め、畳と一体化させる。「図３（２）は表示部Ｐを書として収納部Ｎの中に収納する。表示部Ｐは紙に文字を書いた書であり、収納部Ｎの形状と寸法にもほぼ等しい。そして、表示部Ｐを収納した収納部Ｎに透明な樹脂を畳表と同じ高さになるように流し込み固め、畳と一体化させる。なお、本考案の表示部Ｐは収納部Ｎの寸法より小さくすることもできる。そうすることで、表示部が透明な装飾部の中で浮かんでいるような効果を得ることができる。さらに、表示部は収納部の底や表面だけではなく、中間に設けることもできる。この場合は、装飾部を設ける際に、収納部の途中まで樹脂やガラスを流し込み、一旦固めた状態で表示部を入れ、その後、さらに樹脂やガラスを流し込み固定することで設けることができる。そうすることで、表示部が装飾部の中間で浮かんでいるような効果がさらに高くなる。【００２８】図４（１）の図は和室に畳を敷き詰めた場合に本考案の畳を使用した図である。１畳もしくは２畳以上に装飾を施した畳を使用して和室もしくは部屋に敷き詰める。装飾を施した畳は図３で説明した畳でも良い。あるいは収納部Ｎの中に樹脂を流し込みその樹脂に直接絵や模様、文字を書いた表示部Ｐでも良い。また、図（２）の断面図で示すように、装飾部Ｏは、木製等の底のある四角形の枠部Ｑ内に、まず枠部Ｑの半分程度の高さまで樹脂Ｉを流し込み固化させ、この固化した装飾部Ｏの表面に、インキ等で絵等の表示部を設ける。そして、その上からさらに枠部Ｑに樹脂Ｉを流し込み固化させる。この時、枠部Ｑ、装飾部Ｏと畳表部との高さはほぼ等しくする。この構成にすることで、枠部Ｑの中で透明な装飾部Ｏの内部に表示部の絵等が浮き上がって見え、例えば、絵を金魚とすると、透明な装飾部内を泳いでいるように見え、装飾性はさらに高まる。また、枠部Ｑ内で装飾部Ｏを作ることができるので作業性が良くなる。枠部Ｑと装飾部Ｏは、枠部の内部に装飾部を別途作り、その後、畳の収納部Ｎ内にはめ込むこともできるし、枠部Ｑを畳の収納部にはめ込んでから装飾部Ｏを設けることもできる。また、枠部Ｑと畳の収納部との一体化は、枠部Ｏの横寸法を収納部Ｎの横寸法と同じか少し大きくしておき、嵌入させることで、摩擦で一体化させることができる。他に、枠部Ｑと収納部Ｎとの間に隙間がある場合は、その隙間に接着剤を使い一体化させる方法や、隙間に樹脂ＩもしくはガラスＪ、アクリルＫ等を流し込んで固化させて一体化させることもできる。枠部Ｑは底を設けることもできるし、底がない側面の枠だけとすることもできる。【００２９】図５は本考案の畳を壁掛け仕様にして設置した図である。図５の畳は図３（２）で説明した本考案の畳の裏部分に穴を開け壁につけたネジもしくは物体を支えられるように工夫した物を取り付け畳を設置する。【００３０】図６は本考案の畳の多様な形態を示す図である。図６に示すように曲線状に凹部を形成してもよい。また凹部の外形は直線・曲線・直線と曲線の組み合わせにより構成してもよい。畳は１畳や半畳あるいはそれ以外のサイズでもよい。
【符号の説明】
【００３１】Ａ  畳
Ｂ  畳表
Ｃ  畳ボード上
Ｄ  畳フォーム
Ｅ  畳ボード下
Ｆ  畳縁
Ｇ  凹部
Ｈ  造形物
Ｉ  樹脂
Ｊ  ガラス
Ｋ  アクリル
Ｌ  絵画
Ｍ  書
Ｎ  収納部
Ｏ  装飾部
Ｐ  表示部
Ｑ  枠部
【図１】
0003234546.tif 000003
【図２】
0003234546.tif 000004
【図３】
0003234546.tif 000005
【図４ａ】
0003234546.tif 000006
【図４ｂ】
0003234546.tif 000007
【図５】
0003234546.tif 000008
【図６】
0003234546.tif 000009